(57)【要約】【課題】基地局装置によるスケジューリングに制限をもたらせずに、移動局装置によって、より柔軟に、上りリンク制御情報をマッピングするコードワードを選択することができる移動通信システムおよび通信方法を提供する。【解決手段】移動局装置が、複数のアンテナを使用して基地局装置と通信する移動通信システムであって、前記移動局装置は、複数のコードワードの中からプレコーディングを施すコードワードを選択し、前記選択したコードワードに上りリンク制御情報をマッピングして、前記基地局装置へ送信する。【選択図】図５
2011259335.tif 000002
【特許請求の範囲】
【請求項１】
移動局装置が、複数のアンテナを使用して基地局装置と通信する移動通信システムであって、
前記移動局装置は、
複数のコードワードの中からプレコーディングを施すコードワードを選択し、
前記選択したコードワードに上りリンク制御情報をマッピングして、前記基地局装置へ送信する
ことを特徴とする移動通信システム。
【請求項２】
移動局装置が、ランク３で基地局装置と通信する移動通信システムであって、
前記移動局装置は、
複数のコードワードの中からプレコーディングを施すコードワードを選択し、
前記選択したコードワードに上りリンク制御情報をマッピングして、前記基地局装置へ送信する
ことを特徴とする移動通信システム。
【請求項３】
前記移動局装置は、前記上りリンク制御情報を、物理上りリンク共用チャネルを使用して前記基地局装置へ送信する
ことを特徴とする請求項１または請求項２に記載の移動通信システム。
【請求項４】
移動局装置が、複数のアンテナを使用して基地局装置と通信する移動通信システムであって、
前記基地局装置は、
前記移動局装置が、複数のレイヤに施すプレコーディングを指示する情報を前記移動局装置へ通知し、
前記移動局装置は、
前記情報に従って、複数のコードワードの中からプレコーディングを施すコードワードを選択し、
前記選択したコードワードに上りリンク制御情報をマッピングして、前記基地局装置へ送信する
ことを特徴とする移動通信システム。
【請求項５】
移動局装置が、ランク３で基地局装置と通信する移動通信システムであって、
前記基地局装置は、
前記移動局装置が、複数のレイヤに施すプレコーディングを指示する情報を前記移動局装置へ通知し、
前記移動局装置は、
前記情報に従って、複数のコードワードの中からプレコーディングの施されるコードワードを選択し、
前記選択したコードワードに上りリンク制御情報をマッピングして、前記基地局装置へ送信する
ことを特徴とする移動通信システム。
【請求項６】
前記基地局装置は、
前記移動局装置が、前記選択したコードワードにマッピングした上りリンク制御情報を、前記移動局装置から受信する
ことを特徴とする請求項４または請求項５に記載の移動通信システム。
【請求項７】
前記移動局装置は、
前記上りリンク制御情報を、物理上りリンク共用チャネルを使用して前記基地局装置へ送信する
ことを特徴とする請求項４または請求項５に記載の移動通信システム。
【請求項８】
移動局装置が、複数のアンテナを使用して基地局装置と通信する移動通信システムにおける移動局装置であって、
複数のコードワードの中からプレコーディングを施すコードワードを選択する手段と、
前記選択したコードワードに上りリンク制御情報をマッピングして、前記基地局装置へ送信する手段と、
を備えることを特徴とする移動局装置。
【請求項９】
移動局装置が、ランク３で基地局装置と通信する移動通信システムにおける移動局装置であって、
複数のコードワードの中からプレコーディングを施すコードワードを選択する手段と、
前記選択したコードワードに上りリンク制御情報をマッピングして、前記基地局装置へ送信する手段と、
を備えることを特徴とする移動局装置。
【請求項１０】
移動局装置が、複数のアンテナを使用して基地局装置と通信する移動通信システムにおける移動局装置であって、
複数のレイヤに施すプレコーディングを指示する情報を前記基地局装置から通知される手段と、
前記情報に従って、複数のコードワードの中からプレコーディングを施すコードワードを選択する手段と、
前記選択したコードワードに上りリンク制御情報をマッピングして、前記基地局装置へ送信する手段と、
を備えることを特徴とする移動局装置。
【請求項１１】
移動局装置が、ランク３で基地局装置と通信する移動通信システムにおける移動局装置であって、
複数のレイヤに施すプレコーディングを指示する情報を前記基地局装置から通知される手段と、
前記情報に従って、複数のコードワードの中からプレコーディングの施されるコードワードを選択する手段と、
前記選択したコードワードに上りリンク制御情報をマッピングして、前記基地局装置へ送信する手段と、
を備えることを特徴とする移動局装置。
【請求項１２】
移動局装置が、複数のアンテナを使用して基地局装置と通信する移動通信システムにおける基地局装置であって、
前記移動局装置が、複数のレイヤに施すプレコーディングを指示する情報を前記移動局装置へ通知する手段と、
前記移動局装置が、前記情報に従って、複数のコードワードの中からプレコーディングを施すコードワードを選択し、前記選択したコードワードにマッピングした上りリンク制御情報を、前記移動局装置から受信する手段と、
を備えることを特徴とする基地局装置。
【請求項１３】
移動局装置が、ランク３で基地局装置と通信する移動通信システムにおける基地局装置であって、
前記移動局装置が、複数のレイヤに施すプレコーディングを指示する情報を前記移動局装置へ通知する手段と、
前記移動局装置が、前記情報に従って、複数のコードワードの中からプレコーディングの施されるコードワードを選択し、前記選択したコードワードにマッピングした上りリンク制御情報を、前記移動局装置から受信する手段と、
を備えることを特徴とする基地局装置。
【請求項１４】
移動局装置が、複数のアンテナを使用して基地局装置と通信する移動通信システムにおける移動局装置の通信法であって、
複数のコードワードの中からプレコーディングを施すコードワードを選択し、
前記選択したコードワードに上りリンク制御情報をマッピングして、前記基地局装置へ送信する
ことを特徴とする通信方法。
【請求項１５】
移動局装置が、ランク３で基地局装置と通信する移動通信システムにおける移動局装置の通信方法であって、
複数のコードワードの中からプレコーディングを施すコードワードを選択し、
前記選択したコードワードに上りリンク制御情報をマッピングして、前記基地局装置へ送信する
ことを特徴とする通信方法。
【請求項１６】
移動局装置が、複数のアンテナを使用して基地局装置と通信する移動通信システムにおける移動局装置の通信方法であって、
複数のレイヤに施すプレコーディングを指示する情報を前記基地局装置から通知され、
前記情報に従って、複数のコードワードの中からプレコーディングを施すコードワードを選択し、
前記選択したコードワードに上りリンク制御情報をマッピングして、前記基地局装置へ送信する
ことを特徴とする通信方法。
【請求項１７】
移動局装置が、ランク３で基地局装置と通信する移動通信システムにおける移動局装置の通信方法であって、
複数のレイヤに施すプレコーディングを指示する情報を前記基地局装置から通知され、
前記情報に従って、複数のコードワードの中からプレコーディングの施されるコードワードを選択し、
前記選択したコードワードに上りリンク制御情報をマッピングして、前記基地局装置へ送信する
ことを特徴とする通信方法。
【請求項１８】
移動局装置が、複数のアンテナを使用して基地局装置と通信する移動通信システムにおける基地局装置の通信方法であって、
前記移動局装置が、複数のレイヤに施すプレコーディングを指示する情報を前記移動局装置へ通知し、
前記移動局装置が、前記情報に従って、複数のコードワードの中からプレコーディングを施すコードワードを選択し、前記選択したコードワードにマッピングした上りリンク制御情報を、前記移動局装置から受信する
ことを特徴とする通信方法。
【請求項１９】
移動局装置が、ランク３で基地局装置と通信する移動通信システムにおける基地局装置の通信方法であって、
前記移動局装置が、複数のレイヤに施すプレコーディングを指示する情報を前記移動局装置へ通知し、
前記移動局装置が、前記情報に従って、複数のコードワードの中からプレコーディングの施されるコードワードを選択し、前記選択したコードワードにマッピングした上りリンク制御情報を、前記移動局装置から受信する
ことを特徴とする通信方法。
【発明の詳細な説明】
【技術分野】
【０００１】
本発明は、基地局装置および移動局装置から構成される移動通信システムおよび通信方法に関する。
【背景技術】
【０００２】
３ＧＰＰ（3rd Generation Partnership Project）は、Ｗ−ＣＤＭＡ（Wideband-Code Division Multiple Access）とＧＳＭ（Global System for Mobile Communications）を発展させたネットワークを基本した移動通信システムの仕様の検討・作成を行なうプロジェクトである。３ＧＰＰでは、Ｗ−ＣＤＭＡ方式が第３世代セルラー移動通信方式として標準化され、順次サービスが開始されている。また、通信速度をさらに高速化させたＨＳＤＰＡ（High-speed Downlink Packet Access）も標準化され、サービスが開始されている。３ＧＰＰでは、第３世代無線アクセス技術の進化（以下、「ＬＴＥ（Long Term Evolution）」または「ＥＵＴＲＡ（Evolved Universal Terrestrial Radio Access）」と呼称する）、および、より広帯域な周波数帯域を利用して、さらに高速なデータの送受信を実現する移動通信システム（以下、「ＬＴＥ−Ａ（Long Term Evolution-Advanced）」または「Ａｄｖａｎｃｅｄ−ＥＵＴＲＡ」と呼称する）に関する検討が進められている。
【０００３】
ＬＴＥにおける通信方式としては、互いに直交するサブキャリアを用いてユーザ多重化を行なうＯＦＤＭＡ（Orthogonal Frequency Division Multiple Access）方式、および、ＳＣ−ＦＤＭＡ（Single Carrier-Frequency Division Multiple Access）方式が検討されている。すなわち、下りリンクでは、マルチキャリア通信方式であるＯＦＤＭＡ方式が、上りリンクでは、シングルキャリア通信方式であるＳＣ−ＦＤＭＡ方式が提案されている。
【０００４】
一方、ＬＴＥ−Ａにおける通信方式としては、下りリンクでは、ＯＦＤＭＡ方式が、上りリンクでは、ＳＣ−ＦＤＭＡ方式に加えて、Ｃｌｕｓｔｅｒｅｄ  ＤＦＴ−Ｓ−ＯＦＤＭ（Discrete Fourier Transform Spread Orthogonal Frequency Division Multiplexing、DFT-precoded OFDMとも呼称される）方式を導入することが検討されている。ここで、ＬＴＥおよびＬＴＥ−Ａにおいて、上りリンクの通信方式として提案されているＳＣ−ＦＤＭＡ方式、Ｃｌｕｓｔｅｒｅｄ  ＤＦＴ−Ｓ−ＯＦＤＭ方式は、シングルキャリア通信方式の特性上（シングルキャリア特性によって）、データを送信する際の送信電力（ＰＡＰＲ：Peak to Average Power Ratio：ピーク電力対平均電力比）を低く抑えることができるという特徴を持っている。
【０００５】
また、ＬＴＥ−Ａの上りリンクでは、移動局装置が、複数の送信アンテナを使用して同一時刻、同一周波数で異なる系列の信号（レイヤ（layer）またはストリーム（stream）とも呼称される）を送信し、基地局装置が、データ受信時に送受の伝搬路の違いを利用して、それぞれの系列の信号を復調・分離することによって、高速なデータの送受信を実現する上りリンク空間多重（ＵＬ  ＭＩＭＯ：Uplink Multiple Input Multiple Output またはＵＬ ＳＭ：Uplink Spatial Multiplexingとも呼称される）を適用することが検討されている。ここで、上りリンク空間多重とは、上りリンクシングルユーザー空間多重（ＵＬ ＳＵ−ＭＩＭＯ：Uplink Single User Multiple Input Multiple Output またはＵＬ ＳＵ−ＳＭ：Uplink Single User Spatial Multiplexingとも呼称される）を含んでいる。
【０００６】
また、上りリンク空間多重を行う移動局装置が、物理上りリンク共用チャネル（ＰＵＳＣＨ：Physical Uplink Shared Channel）を使用して、上りリンク制御情報（ＵＣＩ：Uplink Control Information）を基地局装置へ送信する際に、１つのコードワード（ＣＷ：Code Word）に上りリンク制御情報をマッピングして、基地局装置へ送信することが提案されている。さらに、移動局装置が、複数のコードワードそれぞれに対して施されたＭＣＳ（Modulation and Coding Scheme、変調符号化方式）情報に応じて、高いＭＣＳ情報（変調および／または符号化）が施されたコードワードに上りリンク制御情報をマッピングして、基地局装置へ送信することが提案されている（非特許文献２）。
【先行技術文献】
【非特許文献】
【０００７】
【非特許文献１】"Carrier aggregation in LTE-Advanced", 3GPP TSG RAN WG1 Meeting #53bis, R1-082464, June 30-July 4, 2008.
【非特許文献２】"Discussion on UCI transmission in PUSCH", 3GPP TSG RAN WG1 Meeting #51, R1-102660, May 10-14, 2010.
【発明の概要】
【発明が解決しようとする課題】
【０００８】
しかしながら、従来の技術では、移動局装置が、複数のコードワードそれぞれに施されたＭＣＳ情報（変調および／または符号化）に応じて、上りリンク制御情報をマッピングするコードワードを選択していたために、複数のコードワードそれぞれに異なるＭＣＳ情報を施す必要があった。移動局装置は、基地局装置からの指示に従って、指示されたＭＣＳ情報を複数のコードワードそれぞれに施す。すなわち、基地局装置は、複数のコードワードそれぞれに施すＭＣＳ情報として、異なるＭＣＳ情報を移動局装置へ通知する必要があった。すなわち、基地局装置は、複数のコードワードそれぞれに施すＭＣＳ情報として、同一のＭＣＳ情報を移動局装置へ通知することができなかった。
【０００９】
基地局装置が、複数のコードワードそれぞれに対して、同一のＭＣＳ情報を移動局装置へ通知することができないことは、基地局装置によるスケジューリングに大きな制限をもたらすことになる。すなわち、従来の技術では、基地局装置によるスケジューリングが制限されるという問題があった。
【００１０】
本発明は上記の点に鑑みてなされたものであり、基地局装置によるスケジューリングに制限をもたらさずに、移動局装置によって、より柔軟に、上りリンク制御情報をマッピングするコードワードを選択することができる移動通信システム、基地局装置、移動局装置および通信方法を提供する。
【課題を解決するための手段】
【００１１】
（１）上記の目的を達成するために、本発明は、以下のような手段を講じた。すなわち、本発明の移動通信システムは、移動局装置が、複数のアンテナを使用して基地局装置と通信する移動通信システムであって、前記移動局装置は、複数のコードワードの中からプレコーディングを施すコードワードを選択し、前記選択したコードワードに上りリンク制御情報をマッピングして、前記基地局装置へ送信することを特徴としている。
【００１２】
（２）また、移動局装置が、ランク３で基地局装置と通信する移動通信システムであって、前記移動局装置は、複数のコードワードの中からプレコーディングを施すコードワードを選択し、前記選択したコードワードに上りリンク制御情報をマッピングして、前記基地局装置へ送信することを特徴としている。
【００１３】
（３）また、前記移動局装置は、前記上りリンク制御情報を、物理上りリンク共用チャネルを使用して前記基地局装置へ送信することを特徴としている。
【００１４】
（４）また、移動局装置が、複数のアンテナを使用して基地局装置と通信する移動通信システムであって、前記基地局装置は、前記移動局装置が、複数のレイヤに施すプレコーディングを指示する情報を前記移動局装置へ通知し、前記移動局装置は、前記プレコーディングを指示する情報に従って、複数のコードワードの中からプレコーディングを施すコードワードを選択し、前記選択したコードワードに上りリンク制御情報をマッピングして、前記基地局装置へ送信することを特徴としている。
【００１５】
（５）また、移動局装置が、ランク３で基地局装置と通信する移動通信システムであって、前記基地局装置は、前記移動局装置が、複数のレイヤに施すプレコーディングを指示する情報を前記移動局装置へ通知し、前記移動局装置は、前記情報に従って、複数のコードワードの中からプレコーディングの施されるコードワードを選択し、前記選択したコードワードに上りリンク制御情報をマッピングして、前記基地局装置へ送信することを特徴としている。
【００１６】
（６）また、前記基地局装置は、前記移動局装置が、前記選択したコードワードにマッピングした上りリンク制御情報を、前記移動局装置から受信することを特徴としている。
【００１７】
（７）また、前記移動局装置は、前記上りリンク制御情報を、物理上りリンク共用チャネルを使用して前記基地局装置へ送信することを特徴としている。
【００１８】
（８）また、移動局装置が、複数のアンテナを使用して基地局装置と通信する移動通信システムにおける移動局装置であって、複数のコードワードの中からプレコーディングを施すコードワードを選択する手段と、前記選択したコードワードに上りリンク制御情報をマッピングして、前記基地局装置へ送信する手段と、を備えることを特徴としている。
【００１９】
（９）また、移動局装置が、ランク３で基地局装置と通信する移動通信システムにおける移動局装置であって、複数のコードワードの中からプレコーディングを施すコードワードを選択する手段と、前記選択したコードワードに上りリンク制御情報をマッピングして、前記基地局装置へ送信する手段と、を備えることを特徴としている。
【００２０】
（１０）また、移動局装置が、複数のアンテナを使用して基地局装置と通信する移動通信システムにおける移動局装置であって、複数のレイヤに施すプレコーディングを指示する情報を前記基地局装置から通知される手段と、前記情報に従って、複数のコードワードの中からプレコーディングを施すコードワードを選択する手段と、前記選択したコードワードに上りリンク制御情報をマッピングして、前記基地局装置へ送信する手段と、を備えることを特徴としている。
【００２１】
（１１）また、移動局装置が、ランク３で基地局装置と通信する移動通信システムにおける移動局装置であって、複数のレイヤに施すプレコーディングを指示する情報を前記基地局装置から通知される手段と、前記情報に従って、複数のコードワードの中からプレコーディングの施されるコードワードを選択する手段と、前記選択したコードワードに上りリンク制御情報をマッピングして、前記基地局装置へ送信する手段と、を備えることを特徴としている。
【００２２】
（１２）また、移動局装置が、複数のアンテナを使用して基地局装置と通信する移動通信システムにおける基地局装置であって、前記移動局装置が、複数のレイヤに施すプレコーディングを指示する情報を前記移動局装置へ通知する手段と、前記移動局装置が、前記情報に従って、複数のコードワードの中からプレコーディングを施すコードワードを選択し、前記選択したコードワードにマッピングした上りリンク制御情報を、前記移動局装置から受信する手段と、を備えることを特徴としている。
【００２３】
（１３）また、移動局装置が、ランク３で基地局装置と通信する移動通信システムにおける基地局装置であって、前記移動局装置が、複数のレイヤに施すプレコーディングを指示する情報を前記移動局装置へ通知する手段と、前記移動局装置が、前記情報に従って、複数のコードワードの中からプレコーディングの施されるコードワードを選択し、前記選択したコードワードにマッピングした上りリンク制御情報を、前記移動局装置から受信する手段と、を備えることを特徴としている。
【００２４】
（１４）また、移動局装置が、複数のアンテナを使用して基地局装置と通信する移動通信システムにおける移動局装置の通信法であって、複数のコードワードの中からプレコーディングを施すコードワードを選択し、前記選択したコードワードに上りリンク制御情報をマッピングして、前記基地局装置へ送信することを特徴としている。
【００２５】
（１５）また、移動局装置が、ランク３で基地局装置と通信する移動通信システムにおける移動局装置の通信方法であって、複数のコードワードの中からプレコーディングを施すコードワードを選択し、前記選択したコードワードに上りリンク制御情報をマッピングして、前記基地局装置へ送信することを特徴としている。
【００２６】
（１６）また、移動局装置が、複数のアンテナを使用して基地局装置と通信する移動通信システムにおける移動局装置の通信方法であって、複数のレイヤに施すプレコーディングを指示する情報を前記基地局装置から通知され、前記情報に従って、複数のコードワードの中からプレコーディングを施すコードワードを選択し、前記選択したコードワードに上りリンク制御情報をマッピングして、前記基地局装置へ送信することを特徴としている。
【００２７】
（１７）また、移動局装置が、ランク３で基地局装置と通信する移動通信システムにおける移動局装置の通信方法であって、複数のレイヤに施すプレコーディングを指示する情報を前記基地局装置から通知され、前記情報に従って、複数のコードワードの中からプレコーディングの施されるコードワードを選択し、前記選択したコードワードに上りリンク制御情報をマッピングして、前記基地局装置へ送信することを特徴としている。
【００２８】
（１８）また、移動局装置が、複数のアンテナを使用して基地局装置と通信する移動通信システムにおける基地局装置の通信方法であって、前記移動局装置が、複数のレイヤに施すプレコーディングを指示する情報を前記移動局装置へ通知し、前記移動局装置が、前記情報に従って、複数のコードワードの中からプレコーディングを施すコードワードを選択し、前記選択したコードワードにマッピングした上りリンク制御情報を、前記移動局装置から受信することを特徴としている。
【００２９】
（１９）また、移動局装置が、ランク３で基地局装置と通信する移動通信システムにおける基地局装置の通信方法であって、前記移動局装置が、複数のレイヤに施すプレコーディングを指示する情報を前記移動局装置へ通知し、前記移動局装置が、前記情報に従って、複数のコードワードの中からプレコーディングの施されるコードワードを選択し、前記選択したコードワードにマッピングした上りリンク制御情報を、前記移動局装置から受信することを特徴としている。
【発明の効果】
【００３０】
本発明によれば、基地局装置によるスケジューリングに制限をもたらせずに、移動局装置によって、より柔軟に、上りリンク制御情報をマッピングするコードワードを選択することができる。
【図面の簡単な説明】
【００３１】
【図１】本発明の実施形態に係る物理チャネルの構成を概念的に示す図である。
【図２】本発明の実施形態に係る基地局装置の概略構成を示すブロック図である。
【図３】本発明の実施形態に係る移動局装置の概略構成を示すブロック図である。
【図４】本発明の実施形態に係る物理上りリンクリソースの例を示す図である。
【図５】移動局装置によるコードワード選択の例を示す図である。
【図６】移動局装置によるコードワード選択の例を示す別の図である。
【図７】移動局装置によるコードワード選択の例を示す別の図である。
【発明を実施するための形態】
【００３２】
次に、本発明に係る実施形態について、図面を参照しながら説明する。図１は、本発明の実施形態における物理チャネルの一例を示す図である。下りリンクの物理チャネルは、物理下りリンク制御チャネル（ＰＤＣＣＨ：Physical Downlink Control Channel）、物理下りリンク共用チャネル（ＰＤＳＣＨ：Physical Downlink Shared Channel）などの物理チャネルによって構成される。上りリンクの物理チャネルは、物理上りリンク共用チャネル（ＰＵＳＣＨ：Physical Uplink Shared Channel）、物理上りリンク制御チャネル（ＰＵＣＣＨ：Physical Uplink Control Channel）などの物理チャネルによって構成される。
【００３３】
ＰＤＣＣＨは、下りリンクアサインメント（downlink assignment、downlink grantとも呼称される）や上りリンクグラント（uplink grant、uplink assignmentとも呼称される）などの下りリンク制御情報（ＤＣＩ：Downlink Control Information）を送信するために使用される物理チャネルである。すなわち、ＰＤＣＣＨは、下りリンクアサインメントとして、ＰＤＳＣＨに対する変調方式および符号化率に関する情報（ＭＣＳ：Modulation and Coding Scheme）や、ＰＤＳＣＨに対する無線リソースの割り当てを指示する情報を送信するために使用される。また、ＰＤＣＣＨは、上りリンクグラントとして、ＰＵＳＣＨに対する変調方式および符号化率に関する情報や、ＰＵＳＣＨに対する無線リソースの割り当てを指示する情報を送信するために使用される。
【００３４】
ここで、下りリンク制御情報には、複数のフォーマットが定義される。以下、下りリンク制御情報のフォーマットを、ＤＣＩフォーマット（DCI format）とも呼称する。例えば、上りリンクに対するＤＣＩフォーマットとしては、移動局装置が、ＰＵＳＣＨを１つの送信アンテナポートで送信する際に使用されるＤＣＩフォーマット０が定義される。また、上りリンクに対するＤＣＩフォーマットとしては、移動局装置が、ＰＵＳＣＨに空間多重（ＳＭ：Spatial Multiplexing、ＭＩＭＯ  ＳＭとも呼称される）を適用して送信する際に使用されるＤＣＩフォーマット０Ａが定義される。ここで、ＤＣＩフォーマット０やＤＣＩフォーマット０Ａは、基地局装置が、ＰＵＳＣＨをスケジュールするために使用される。
【００３５】
例えば、移動局装置は、ＤＣＩフォーマット０とＤＣＩフォーマット０Ａを同時に監視（モニタリング）し、ＤＣＩフォーマット０を検出した場合は、ＰＵＳＣＨを１つの送信アンテナポートを使用して基地局装置へ送信する。また、移動局装置は、ＤＣＩフォーマット０Ａを検出した場合は、ＰＵＳＣＨを複数の送信アンテナポートを使用して（ＭＩＭＯ  ＳＭを適用して）基地局装置へ送信する。
【００３６】
ここで、空間多重（ＳＭ：Spatial Multiplexing、ＭＩＭＯ  ＳＭ）とは、複数の送信／受信アンテナポートによって実現される複数の空間次元のチャネルに対して、複数の信号系列（以下、レイヤ、ストリームとも呼称する）が多重されて送受信が行なわれる技術である。ここで、アンテナポートとは信号処理に用いられる論理的なアンテナのことを示している。すなわち、１つのアンテナポートは１つの物理的なアンテナによって構成されてもよいし、複数の物理的なアンテナによって構成されてもよい。
【００３７】
空間多重（ＳＭ：Spatial Multiplexing、ＭＩＭＯ  ＳＭ）を適用して通信を行う場合の送信側（例えば、移動局装置側）では、複数の信号系列に対して適切な空間チャネルを形成するために前処理（プリコーディング（Precoding）と呼称する）を施し、プリコーディングを施した複数の信号系列を複数の送信アンテナを用いて（複数のアンテナにマッピングして）送信する。すなわち、複数のアンテナを使用して送信される複数の信号系列の情報を正しく分離するために、予め信号系列に対してプリコーディングを施し、プリコーディングを施した複数の信号を複数の送信アンテナを用いて送信する。
【００３８】
また、空間多重（ＳＭ：Spatial Multiplexing、ＭＩＭＯ  ＳＭ）を適用して通信を行う場合の受信側（例えば、基地局装置側）では、複数の受信アンテナを用いて受信された複数の信号系列に対して、空間次元のチャネルで多重された信号系列を適切に分離するための処理が行なわれる。
【００３９】
ここで、例えば、ＤＣＩフォーマット０には、ＰＵＳＣＨの無線リソースの割り当てを指示する情報（Resource block assignment）、ＰＵＳＣＨに施されるＭＣＳ情報（Modulation and Coding Scheme）、ＰＵＳＣＨの送信電力制御に用いられるＴＰＣ（Transmission Power Control）コマンドなどの情報が含まれる。
【００４０】
また、例えば、ＤＣＩフォーマット０Ａには、ＰＵＳＣＨの無線リソースの割り当てを指示する情報（Resource block assignment）、ＰＵＳＣＨに施されるＭＣＳ情報（Modulation and Coding Scheme）、ＰＵＳＣＨの送信電力制御に用いられるＴＰＣ（Transmission Power Control）コマンド、空間多重される信号系列の数を指示する情報（Rank information）、（複数の）信号系列に対して施されるプレコーディングを指示する情報（Precoding information）などの情報が含まれる。
【００４１】
基地局装置は、ＤＣＩフォーマット０および／またはＤＣＩフォーマット０Ａを移動局装置へ通知し、移動局装置は、検出したＤＣＩフォーマットに従って、ＰＵＳＣＨを基地局装置へ送信する。すなわち、移動局装置は、基地局装置から送信された空間多重される信号系列の数を指示する情報（Rank information）によって指示されたレイヤ数で、ＰＵＳＣＨを基地局装置へ送信する。また、移動局装置は、基地局装置から送信された信号系列に対して施されるプレコーディングを指示する情報（Precoding information）によって指示されたプレコーディングを施して、ＰＵＳＣＨを基地局装置へ送信する。
【００４２】
ＰＤＳＣＨは、下りリンクデータ（下りリンク共用チャネル（ＤＬ−ＳＣＨ：Downlink Shared Channel））またはページング情報（ページングチャネル（ＰＣＨ：Paging Channel））を送信するために使用される物理チャネルである。基地局装置は、移動局装置へ割り当てたＰＤＳＣＨを使用して、下りリンクデータを移動局装置へ送信する。ここで、下りリンクデータとは、例えば、ユーザーデータを示しており、ＤＬ−ＳＣＨは、トランスポートチャネルである。ＤＬ−ＳＣＨでは、ＨＡＲＱ（ハイブリッド自動再送要求：Hybrid Automatic Repeat Request）、動的適応無線リンク制御がサポートされ、また、ビームフォーミングを利用可能である。ＤＬ−ＳＣＨは、動的なリソース割り当て、および、準静的なリソース割り当てがサポートされる。
【００４３】
また、ＰＤＳＣＨを使用して下りリンクデータを送信する際の単位は、下りリンクトランスポートブロック（ＤＴＢ：Downlink Transport Block）と呼称される。下りリンクトランスポートブロックは、ＭＡＣ（Media Access Control）層で取り扱われる下りリンクデータの単位であり、例えば、ＨＡＲＱの制御は、下りリンクトランスポートブロック毎に行なわれる。
【００４４】
ここで、物理層では、下りリンクトランスポートブロックはコードワード（ＣＷ：Code Word）に対応付けられ、例えば、変調および／または符号化などの信号処理は、コードワード毎に行なわれる。すなわち、ＭＣＳ情報（変調および／または符号化）は、コードワード毎に施される。例えば、基地局装置は、移動局装置に対して、ＭＣＳ情報を、コードワード毎に指示することができる。
【００４５】
ＰＵＳＣＨは、主に、上りリンクデータ（上りリンク共用チャネル（ＵＬ−ＳＣＨ：Uplink Shared Channel））を送信するために使用される物理チャネルである。移動局装置は、基地局装置によって割り当てられたＰＵＳＣＨを使用して、上りリンクデータを基地局装置へ送信する。ここで、上りリンクデータとは、例えば、ユーザーデータを示しており、ＵＬ−ＳＣＨは、トランスポートチャネルである。ＵＬ−ＳＣＨでは、ＨＡＲＱ、動的適応無線リンク制御がサポートされ、また、ビームフォーミングを利用可能である。ＵＬ−ＳＣＨは、動的なリソース割り当て、および、準静的なリソース割り当てがサポートされる。
【００４６】
また、ＰＵＳＣＨを使用して上りリンクデータを送信する際の単位は、上りリンクトランスポートブロック（ＵＴＢ：Uplink Transport Block）と呼称される。上りリンクトランスポートブロックは、ＭＡＣ層で取り扱われる上りリンクデータの単位であり、例えば、ＨＡＲＱの制御は、上りリンクトランスポートブロック毎に行なわれる。
【００４７】
ここで、物理層では、上りリンクトランスポートブロックはコードワード（ＣＷ：Code Word）に対応付けられ、例えば、変調および／または符号化などの信号処理は、コードワード毎に行なわれる。すなわち、ＭＣＳ情報（変調および／または符号化）は、コードワード毎に施される。例えば、基地局装置は、移動局装置に対して、ＭＣＳ情報を、コードワード毎に指示することができる。
【００４８】
また、基地局装置がスケジュールした場合には、移動局装置は、上りリンク制御情報（ＵＣＩ：Uplink Control Information）を、ＰＵＳＣＨを使用して基地局装置へ送信する。すなわち、基地局装置が、移動局装置に対してＰＵＳＣＨをスケジュールした場合には、移動局装置は、上りリンク制御情報をスケジュールされたＰＵＳＣＨにマッピングして、基地局装置へ送信する。
【００４９】
ここで、上りリンク制御情報には、下りリンクのチャネル状態を示す情報であるチャネル状態情報（ＣＳＩ：Channel Statement Information）が含まれる。また、上りリンク制御情報には、下りリンクのチャネル状態を示す情報であるチャネル品質識別子（ＣＱＩ：Channel Quality Information）が含まれる。また、上りリンク制御情報には、下りリンク信号にＭＩＭＯ  ＳＭを適用した場合に施されるプレコーディングを示す情報であるプレコーディングマトリックス識別子（ＰＭＩ：Precoding Matrix Indicator）が含まれる。また、上りリンク制御情報には、下りリンク信号にＭＩＭＯ  ＳＭを適用した場合に送信する（移動局装置が要求する）信号系列の数（レイヤ数、ストリーム数）を示す情報であるランク識別子（ＲＩ：Rank Indicator）が含まれる。
【００５０】
移動局装置は、基地局装置によってＰＵＳＣＨがスケジュールされた場合には、上りリンク制御情報をＰＵＳＣＨにマッピングして、上りリンクデータ（ＵＬ−ＳＣＨ）と共に基地局装置へ送信する。すなわち、移動局装置は、上りリンク制御情報と上りリンクデータ（ＵＬ−ＳＣＨ）を多重して、基地局装置によってスケジュールされたＰＵＳＣＨにマッピングして、基地局装置へ送信する。また、移動局装置は、基地局装置によってスケジュールされた場合には、上りリンク制御情報をＰＵＳＣＨにマッピングして、ＵＬ−ＳＣＨを伴わずに（上りリンク制御情報のみを）基地局装置へ送信することができる。
【００５１】
ＰＵＣＣＨは、上りリンク制御情報を送信するために使用される物理チャネルである。ここで、上りリンク制御情報には、チャネル状態情報（ＣＳＩ）や、チャネル品質識別子（ＣＱＩ）や、プレコーディングマトリックス識別子（ＰＭＩ）や、ランク識別子（ＲＩ）が含まれる。
【００５２】
［基地局装置の構成］
図２は、本発明の実施形態に係る基地局装置１００の概略構成を示すブロック図である。基地局装置１００は、データ制御部１０１と、送信データ変調部１０２と、無線部１０３と、スケジューリング部１０４と、チャネル推定部１０５と、受信データ復調部１０６と、データ抽出部１０７と、上位層１０８と、アンテナ１０９と、を含んで構成される。また、無線部１０３、スケジューリング部１０４、チャネル推定部１０５、受信データ復調部１０６、データ抽出部１０７、上位層１０８およびアンテナ１０９で受信部を構成し、データ制御部１０１、送信データ変調部１０２、無線部１０３、スケジューリング部１０４、上位層１０８およびアンテナ１０９で送信部を構成している。
【００５３】
アンテナ１０９、無線部１０３、チャネル推定部１０５、受信データ復調部１０６、データ抽出部１０７で上りリンクの物理層の処理を行なう。アンテナ１０９、無線部１０３、送信データ変調部１０２、データ制御部１０１で下りリンクの物理層の処理を行なう。
【００５４】
データ制御部１０１は、スケジューリング部１０４からトランスポートチャネルを受信する。データ制御部１０１は、トランスポートチャネルと、物理層で生成される信号およびチャネルを、スケジューリング部１０４から入力されるスケジューリング情報に基づいて、物理チャネルにマッピングする。以上のようにマッピングされた各データは、送信データ変調部１０２へ出力される。
【００５５】
送信データ変調部１０２は、送信データをＯＦＤＭ方式に変調する。送信データ変調部１０２は、データ制御部１０１から入力されたデータに対して、スケジューリング部１０４からのスケジューリング情報や、各ＰＲＢに対応する変調方式および符号化方式に基づいて、データ変調、符号化、入力信号の直列／並列変換、ＩＦＦＴ（Inverse Fast Fourier Transform：逆高速フーリエ変換）処理、ＣＰ（Cyclic Prefix）挿入、並びに、フィルタリングなどの信号処理を行ない、送信データを生成して、無線部１０３へ出力する。ここで、スケジューリング情報には、下りリンク物理リソースブロックＰＲＢ（Physical Resource Block）割り当て情報、例えば、周波数、時間から構成される物理リソースブロック位置情報が含まれ、各ＰＲＢに対応する変調方式および符号化方式には、例えば、変調方式：１６ＱＡＭ、符号化率：２／３コーディングレートなどの情報が含まれる。
【００５６】
無線部１０３は、送信データ変調部１０２から入力された変調データを無線周波数にアップコンバートして無線信号を生成し、アンテナ１０９を介して、移動局装置２００に送信する。また、無線部１０３は、移動局装置２００からの上りリンクの無線信号を、アンテナ１０９を介して受信し、ベースバンド信号にダウンコンバートして、受信データをチャネル推定部１０５と受信データ復調部１０６とに出力する。
【００５７】
スケジューリング部１０４は、媒体アクセス制御（ＭＡＣ：Medium Access Control）層の処理を行なう。スケジューリング部１０４は、論理チャネルとトランスポートチャネルのマッピング、下りリンクおよび上りリンクのスケジューリング（ＨＡＲＱ処理、トランスポートフォーマットの選択など）などを行なう。スケジューリング部１０４は、各物理層の処理部を統合して制御するため、スケジューリング部１０４と、アンテナ１０９、無線部１０３、チャネル推定部１０５、受信データ復調部１０６、データ制御部１０１、送信データ変調部１０２およびデータ抽出部１０７との間のインターフェースが存在する（ただし、図示しない）。
【００５８】
スケジューリング部１０４は、下りリンクのスケジューリングでは、移動局装置２００から受信した上りリンク制御情報（ＣＳＩ、ＣＱＩ、ＰＭＩ、ＲＩなど）や、各移動局装置の使用可能なＰＲＢの情報や、バッファ状況や、上位層１０８から入力されたスケジューリング情報などに基づいて、各データを変調するための下りリンクのトランスポートフォーマット（送信形態、すなわち、物理リソースブロックの割り当ておよび変調方式および符号化方式など）の選定処理およびＨＡＲＱにおける再送制御および下りリンクに使用されるスケジューリング情報の生成を行なう。これら下りリンクのスケジューリングに使用されるスケジューリング情報は、データ制御部１０１へ出力される。
【００５９】
また、スケジューリング部１０４は、上りリンクのスケジューリングでは、チャネル推定部１０５が出力する上りリンクのチャネル状態（無線伝搬路状態）の推定結果、移動局装置２００からのリソース割り当て要求、各移動局装置２００の使用可能なＰＲＢの情報、上位層１０８から入力されたスケジューリング情報などに基づいて、各データを変調するための上りリンクのトランスポートフォーマット（送信形態、すなわち、物理リソースブロックの割り当ておよび変調方式および符号化方式など）の選定処理および上りリンクのスケジューリングに使用されるスケジューリング情報の生成を行なう。これら上りリンクのスケジューリングに使用されるスケジューリング情報は、データ制御部１０１へ出力される。
【００６０】
また、スケジューリング部１０４は、上位層１０８から入力された下りリンクの論理チャネルをトランスポートチャネルにマッピングし、データ制御部１０１へ出力する。また、スケジューリング部１０４は、データ抽出部１０７から入力された上りリンクで取得した制御データとトランスポートチャンネルを、必要に応じて処理した後、上りリンクの論理チャネルにマッピングし、上位層１０８へ出力する。
【００６１】
チャネル推定部１０５は、上りリンクデータの復調のために、上りリンク復調用参照信号（ＵＤＲＳ：Uplink Demodulation Reference Signal）から上りリンクのチャネル状態を推定し、その推定結果を受信データ復調部１０６に出力する。また、上りリンクのスケジューリングを行なうために、上りリンク測定用参照信号（ＳＲＳ：Sounding Reference Signal）から上りリンクのチャネル状態を推定し、その推定結果をスケジューリング部１０４に出力する。
【００６２】
受信データ復調部１０６は、ＯＦＤＭ方式、および／または、ＳＣ−ＦＤＭＡ方式に変調された受信データを復調するＯＦＤＭ復調部および／またはＤＦＴ−Ｓｐｒｅａｄ−ＯＦＤＭ（ＤＦＴ−Ｓ−ＯＦＤＭ）復調部を兼ねている。受信データ復調部１０６は、チャネル推定部１０５から入力された上りリンクのチャネル状態推定結果に基づいて、無線部１０３から入力された変調データに対し、ＤＦＴ変換、サブキャリアマッピング、ＩＦＦＴ変換、フィルタリング等の信号処理を行なって、復調処理を施し、データ抽出部１０７に出力する。
【００６３】
データ抽出部１０７は、受信データ復調部１０６から入力されたデータに対して、正誤を確認するとともに、確認結果（ＡＣＫまたはＮＡＣＫ）をスケジューリング部１０４に出力する。また、データ抽出部１０７は、受信データ復調部１０６から入力されたデータからトランスポートチャネルと物理層の制御データとに分離して、スケジューリング部１０４に出力する。分離された制御データには、移動局装置２００から送信されたＣＳＩ、ＣＱＩ、ＰＭＩ、ＲＩや、下りリンクトランスポートブロックに対するＡＣＫ／ＮＡＣＫを示す情報などが含まれている。
【００６４】
上位層１０８は、パケットデータ統合プロトコル（ＰＤＣＰ：Packet Data Convergence Protocol）層、無線リンク制御（ＲＬＣ：Radio Link Control）層、無線リソース制御（ＲＲＣ：Radio Resource Control）層の処理を行なう。上位層１０８は、下位層の処理部を統合して制御するため、上位層１０８と、スケジューリング部１０４、アンテナ１０９、無線部１０３、チャネル推定部１０５、受信データ復調部１０６、データ制御部１０１、送信データ変調部１０２およびデータ抽出部１０７との間のインターフェースが存在する（ただし、図示しない）。
【００６５】
上位層１０８は、無線リソース制御部１１０（制御部とも言う。）を有している。また、無線リソース制御部１１０は、各種設定情報の管理、システム情報の管理、ページング制御、各移動局装置の通信状態の管理、ハンドオーバーなどの移動管理、移動局装置ごとのバッファ状況の管理、ユニキャストおよびマルチキャストベアラの接続設定の管理、移動局識別子（ＵＥＩＤ）の管理などを行なっている。上位層１０８は、別の基地局装置への情報および上位ノードへの情報の授受を行なう。
【００６６】
［移動局装置の構成］
図３は、本発明の実施形態に係る移動局装置２００の概略構成を示すブロック図である。移動局装置２００は、データ制御部２０１と、送信データ変調部２０２と、無線部２０３と、スケジューリング部２０４と、チャネル推定部２０５と、受信データ復調部２０６と、データ抽出部２０７と、上位層２０８、アンテナ２０９と、を含んで構成されている。また、データ制御部２０１、送信データ変調部２０２、無線部２０３、スケジューリング部２０４、上位層２０８、アンテナ２０９で送信部を構成し、無線部２０３、スケジューリング部２０４、チャネル推定部２０５、受信データ復調部２０６、データ抽出部２０７、上位層２０８、アンテナ２０９で受信部を構成している。
【００６７】
データ制御部２０１、送信データ変調部２０２、無線部２０３で上りリンクの物理層の処理を行なう。無線部２０３、チャネル推定部２０５、受信データ復調部２０６、データ抽出部２０７で下りリンクの物理層の処理を行なう。
【００６８】
データ制御部２０１は、スケジューリング部２０４からトランスポートチャネルを受信する。トランスポートチャネルと、物理層で生成される信号およびチャネルを、スケジューリング部２０４から入力されるスケジューリング情報に基づいて、物理チャネルにマッピングする。このようにマッピングされた各データは、送信データ変調部２０２へ出力される。
【００６９】
送信データ変調部２０２は、送信データをＯＦＤＭ方式、および／または、ＳＣ−ＦＤＭＡ方式に変調する。送信データ変調部２０２は、データ制御部２０１から入力されたデータに対し、データ変調、ＤＦＴ（離散フーリエ変換）処理、サブキャリアマッピング、ＩＦＦＴ（逆高速フーリエ変換）処理、ＣＰ挿入、フィルタリングなどの信号処理を行ない、送信データを生成して、無線部２０３へ出力する。
【００７０】
無線部２０３は、送信データ変調部２０２から入力された変調データを無線周波数にアップコンバートして無線信号を生成し、アンテナ２０９を介して、基地局装置１００に送信する。また、無線部２０３は、基地局装置１００からの下りリンクのデータで変調された無線信号を、アンテナ２０９を介して受信し、ベースバンド信号にダウンコンバートして、受信データを、チャネル推定部２０５および受信データ復調部２０６に出力する。
【００７１】
スケジューリング部２０４は、媒体アクセス制御（ＭＡＣ：Medium Access Control）層の処理を行なう。スケジューリング部１０４は、論理チャネルとトランスポートチャネルのマッピング、下りリンクおよび上りリンクのスケジューリング（ＨＡＲＱ処理、トランスポートフォーマットの選択など）などを行なう。スケジューリング部２０４は、各物理層の処理部を統合して制御するため、スケジューリング部２０４と、アンテナ２０９、データ制御部２０１、送信データ変調部２０２、チャネル推定部２０５、受信データ復調部２０６、データ抽出部２０７および無線部２０３との間のインターフェースが存在する（ただし、図示しない）。
【００７２】
スケジューリング部２０４は、下りリンクのスケジューリングでは、基地局装置１００や上位層２０８からのスケジューリング情報（トランスポートフォーマットやＨＡＲＱ再送情報）などに基づいて、トランスポートチャネルおよび物理信号および物理チャネルの受信制御、ＨＡＲＱ再送制御および下りリンクのスケジューリングに使用されるスケジューリング情報の生成を行なう。これら下りリンクのスケジューリングに使用されるスケジューリング情報は、データ制御部２０１へ出力される。
【００７３】
スケジューリング部２０４は、上りリンクのスケジューリングでは、上位層２０８から入力された上りリンクのバッファ状況、データ抽出部２０７から入力された基地局装置１００からの上りリンクのスケジューリング情報（トランスポートフォーマットやＨＡＲＱ再送情報など）、および、上位層２０８から入力されたスケジューリング情報などに基づいて、上位層２０８から入力された上りリンクの論理チャネルをトランスポートチャネルにマッピングするためのスケジューリング処理および上りリンクのスケジューリングに使用されるスケジューリング情報の生成を行なう。なお、上りリンクのトランスポートフォーマットについては、基地局装置１００から通知された情報を利用する。これらスケジューリング情報は、データ制御部２０１へ出力される。
【００７４】
また、スケジューリング部２０４は、上位層２０８から入力された上りリンクの論理チャネルをトランスポートチャネルにマッピングし、データ制御部２０１へ出力する。また、スケジューリング部２０４は、チャネル推定部２０５から入力されたＣＳＩや、ＣＱＩや、ＰＭＩや、ＲＩや、データ抽出部２０７から入力されたＣＲＣチェックの確認結果についても、データ制御部２０１へ出力する。また、スケジューリング部２０４は、データ抽出部２０７から入力された下りリンクで取得した制御データとトランスポートチャネルを、必要に応じて処理した後、下りリンクの論理チャネルにマッピングし、上位層２０８へ出力する。
【００７５】
チャネル推定部２０５は、下りリンクデータの復調のために、下りリンク参照信号から下りリンクのチャネル状態を推定し、その推定結果を受信データ復調部２０６に出力する。また、チャネル推定部２０５は、基地局装置１００に下りリンクのチャネル状態（無線伝搬路状態、ＣＳＩ、ＣＱＩ、ＰＭＩ、ＲＩ）の推定結果を通知するために、下りリンク参照信号から下りリンクのチャネル状態を推定し、この推定結果を、例えば、ＣＳＩや、ＣＱＩや、ＰＭＩや、ＲＩとして、スケジューリング部２０４に出力する。
【００７６】
受信データ復調部２０６は、ＯＦＤＭ方式に変調された受信データを復調する。受信データ復調部２０６は、チャネル推定部２０５から入力された下りリンクのチャネル状態推定結果に基づいて、無線部２０３から入力された変調データに対して、復調処理を施し、データ抽出部２０７に出力する。
【００７７】
データ抽出部２０７は、受信データ復調部２０６から入力されたデータに対して、ＣＲＣチェックを行ない、正誤を確認するとともに、確認結果（ＡＣＫまたはＮＡＣＫを示す情報）をスケジューリング部２０４に出力する。また、データ抽出部２０７は、受信データ復調部２０６から入力されたデータからトランスポートチャネルと物理層の制御データに分離して、スケジューリング部２０４に出力する。分離された制御データには、下りリンクまたは上りリンクのリソース割り当てや上りリンクのＨＡＲＱ制御情報などのスケジューリング情報が含まれている。
【００７８】
上位層２０８は、パケットデータ統合プロトコル（ＰＤＣＰ：Packet Data Convergence Protocol）層、無線リンク制御（ＲＬＣ：Radio Link Control）層、無線リソース制御（ＲＲＣ：Radio Resource Control）層の処理を行なう。上位層２０８は、下位層の処理部を統合して制御するため、上位層２０８と、スケジューリング部２０４、アンテナ２０９、データ制御部２０１、送信データ変調部２０２、チャネル推定部２０５、受信データ復調部２０６、データ抽出部２０７および無線部２０３との間のインターフェースが存在する（ただし、図示しない）。
【００７９】
上位層２０８は、無線リソース制御部２１０（制御部とも言う）を有している。無線リソース制御部２１０は、各種設定情報の管理、システム情報の管理、ページング制御、自局の通信状態の管理、ハンドオーバーなどの移動管理、バッファ状況の管理、ユニキャストおよびマルチキャストベアラの接続設定の管理、移動局識別子（ＵＥＩＤ）の管理を行なう。
【００８０】
図４は、時間および周波数で構成される物理上りリンクリソースを示す図である。図４の左側に示す物理上りリンクリソースにおいて、横軸は時間を、縦軸は周波数を示している。図４に示すように、物理上りリンクリソースは、移動局装置が、主に、上りリンク制御情報を送信するために使用される物理上りリンク制御チャネル（ＰＵＣＣＨ、白塗りで示される）によって構成される。また、物理上りリンクリソースは、移動局装置が、主に、上りリンクデータ（ＵＬ−ＳＣＨ）を送信するために使用される物理上りリンク共用チャネル（ＰＵＳＣＨ、右上がりの斜線で示される）から構成される。ここで、上述したとおり、移動局装置は、基地局装置によってＰＵＳＣＨがスケジュールされた場合には、上りリンク制御情報をＰＵＳＣＨにマッピングして、基地局装置へ送信する。
【００８１】
図４に示すように、物理上りリンクリソースは、リソースブロック（ＲＢ：Resource Block）と呼ばれる分割単位の集合として表され、周波数方向におけるリソースブロック数は、システムの帯域幅に依存する。例えば、基地局装置は、移動局装置に対して、リソースブロック単位でリソースを割り当てることができる。また、時間方向については、１リソースブロックが占める時間単位を１スロットとよび、これを２つ合わせたものは１サブフレームと呼称される。例えば、基地局装置は、移動局装置に対して、２個のスロットをペアにしたリソースブロック単位でＰＵＳＣＨリソースを割り当てることができる。
【００８２】
ここで、例えば、１リソースブロックは、時間方向に７個のＳＣ−ＦＤＭＡシンボル（１スロットに相当）、周波数方向に１２サブキャリアから構成される。また、１ＳＣ−ＦＤＭＡシンボルと、１サブキャリアで構成される最小のリソースの単位は、リソースエレメント（ＲＥ：Resource Element）とも呼称される。リソースエレメントに配置された変調シンボルは、ＳＣ−ＦＤＭＡシンボル単位でＦＦＴ（Fast Fourier Transformation）などの処理により時間領域に変換された後に、移動局装置から基地局装置へ送信される。
【００８３】
図４において、ＰＵＳＣＨから点線で伸びている領域（右側に示される領域）には、移動局装置が、基地局装置へ送信する各情報（上りリンクデータ（ＵＬ−ＳＣＨ、白塗りで示される）、ＲＩ（左上がりの斜線で示される）、ＣＱＩおよび／またはＰＭＩ（格子線で示される）、ＡＣＫ／ＮＡＣＫ（黒塗りで示される））を多重する際のマッピングの例が示されている。
【００８４】
ここで、図４の右側に示される領域において、縦軸は、周波数軸に対応したものではなく、各情報がマッピングされる変調シンボル系列の並びを表している。すなわち、各情報がマッピングされる変調シンボル系列は、各ＳＣ−ＦＤＭＡシンボルごとにＤＦＴ処理され、周波数軸上で割り当てられたＰＵＳＣＨリソースにマッピングされる。
【００８５】
図４では、例として、移動局装置が、上りリンクデータ（ＵＬ−ＳＣＨ）、ＲＩ、ＣＱＩおよび／またはＰＭＩ、下りリンク信号に対するＡＣＫ／ＮＡＣＫの同一サブフレームでの送信を、基地局装置によって、スケジュールされた場合のマッピングを示している。また、図４では、参照信号（Reference Symbol、網線で示される）も示されている。
【００８６】
図４に示されるように、基地局装置によってＰＵＳＣＨをスケジュールされた移動局装置は、参照信号に隣接した２つのＳＣ−ＦＤＭＡシンボルに下りリンク信号に対するＡＣＫ／ＮＡＣＫをマッピングする。また、移動局装置は、参照信号から２つ離れたＳＣ−ＦＤＭＡシンボルにＲＩをマッピングする。また、移動局装置は、ＣＱＩおよび／またはＰＭＩを、参照信号を除いた全てのＳＣ−ＦＤＭＡシンボルにマッピングすることができる。また、移動局装置は、ＣＱＩおよび／またはＰＭＩをマッピングした後のＳＣ−ＦＤＭＡシンボルに、上りリンクデータ（ＵＬ−ＳＣＨ）をマッピングすることができる。ここで、移動局装置が、先に、ＣＱＩおよび／またはＰＭＩをＳＣ−ＦＤＭＡシンボルにマッピングし、その後、上りリンクデータ（ＵＬ−ＳＣＨ）をＳＣ−ＦＤＭＡシンボルにマッピングすることは、タイム・ファーストマッピングとも呼称される。
【００８７】
基地局装置によってＰＵＳＣＨをスケジュールされた移動局装置は、例えば、図４の右側で示されるように各情報を多重し、多重した各情報をＰＵＳＣＨリソースにマッピングして（ＰＵＳＣＨを使用して）基地局装置へ送信する。
（第１の実施形態）
次に、基地局装置１００および移動局装置２００を用いた移動通信システムにおける第１の実施形態を説明する。第１の実施形態では、移動局装置は、複数のコードワードの中からプレコーディングを施すコードワードを選択し、前記選択したコードワードに上りリンク制御情報をマッピングして、前記基地局装置へ送信する。
【００８８】
すなわち、移動局装置は、コードワードにプレコーディングを施すかどうかに応じて、コードワードを選択し、選択したコードワードに上りリンク制御情報をマッピングして、基地局装置へ送信する。
【００８９】
ここで、移動局装置は、上りリンク制御情報を、ＰＵＳＣＨを使用して基地局装置へ送信する。すなわち、移動局装置は、基地局装置によってスケジュールされたＰＵＳＣＨに、上りリンク制御情報をマッピングして、基地局装置へ送信する。すなわち、移動局装置は、基地局装置によってスケジュールされたＰＵＳＣＨに、多重した上りリンクデータ（ＵＬ−ＳＣＨ）と上りリンク制御情報をマッピングして、基地局装置へ送信する。
【００９０】
また、基地局装置は、移動局装置が、複数のレイヤに施すプレコーディングを指示する情報を移動局装置へ通知し、移動局装置は、プレコーディングを指示する情報に従って、複数のコードワードの中からプレコーディングを施すコードワードを選択し、選択したコードワードに上りリンク制御情報をマッピングして、基地局装置へ送信する。
【００９１】
基地局装置は、移動局装置が選択したコードワードにマッピングされた上りリンク制御情報を移動局装置から受信し、受信した上りリンク制御情報に基づいて、移動局装置に対して、スケジューリングを行う。すなわち、基地局装置は、移動局装置が選択したコードワードにマッピングされた上りリンクデータ（ＵＬ−ＳＣＨ）と上りリンク制御情報を移動局装置から受信し、上りリンク制御情報を抽出して、抽出した上りリンク制御情報に基づいて、移動局装置に対して、スケジューリングを行う。
【００９２】
ここで、移動局装置が基地局装置へ送信する上りリンク制御情報には、チャネル状態情報（ＣＳＩ）が含まれる。また、移動局装置が基地局装置へ送信する上りリンク制御情報には、チャネル品質識別子（ＣＱＩ）が含まれる。また、移動局装置が基地局装置へ送信する上りリンク制御情報には、プレコーディングマトリックス識別子（ＰＭＩ）が含まれる。また、移動局装置が基地局装置へ送信する上りリンク制御情報には、ランク識別子（ＲＩ）が含まれる。
【００９３】
以下、説明を分かり易くするために、移動局装置が、ランク３（rank3）で基地局装置と通信する（基地局装置と通信する際のレイヤ数（ストリーム数）が３つ）ことのみを記載するが、移動局装置が、いくつのレイヤ数で基地局装置と通信をしたとしても、本実施形態が適用できることは勿論である。
【００９４】
図５は、移動局装置によるコードワード選択の例を概念的に示した図である。上述したように、基地局装置によってＰＵＳＣＨをスケジュールされた移動局装置は、上りリンクデータ（ＵＬ−ＳＣＨ）と上りリンク制御情報を多重して、基地局装置によってスケジュールされたＰＵＳＣＨにマッピングして、基地局装置へ送信する。
【００９５】
この際、移動局装置は、コードワード１またはコードワード２を選択し、選択したコードワードに上りリンク制御情報をマッピングすることができる。すなわち、移動局装置は、選択したコードワードにマッピングされる上りリンクデータ（ＵＬ−ＳＣＨ）と上りリンク制御情報を多重し、多重した上りリンクデータ（ＵＬ−ＳＣＨ）と上りリンク制御情報をＰＵＳＣＨにマッピングして、基地局装置へ送信することができる。
【００９６】
図５において、コードワード１にマッピングされる上りリンクデータ（ＵＬ−ＳＣＨ）は、ＵＬ−ＳＣＨ１と示されている。また、図５において、コードワード２にマッピングされる上りリンクデータ（ＵＬ−ＳＣＨ）は、ＵＬ−ＳＣＨ２と示されている。
【００９７】
図５において、まず、移動局装置は、それぞれのＵＬ−ＳＣＨ（ＵＬ−ＳＣＨ１、ＵＬ−ＳＣＨ２）に対して、チャネルコーディング（Channel Coding）等の処理を施す。ここで、移動局装置は、それぞれのＵＬ−ＳＣＨに対して、独立に（別々に）チャネルコーディング等の処理を施すことができる。例えば、移動局装置は、それぞれのＵＬ−ＳＣＨに対して、独立に（別々に）変調および／または符号化の処理を施すことができる。すなわち、基地局装置は、それぞれのＵＬ−ＳＣＨ（それぞれのコードワードとも言える）に施すそれぞれのＭＣＳ情報を、移動局装置に対して通知することができる。
【００９８】
同様に、移動局装置は、上りリンク制御情報に対して、チャネルコーディング等の処理を施す。例えば、移動局装置は、上りリンク制御情報に対して、変調および／または符号化の処理を施すことができる。
【００９９】
続いて、移動局装置は、ＵＬ−ＳＣＨと上りリンク制御情報に対して多重（Data and Control Multiplexing）等の処理を施す。ここで、移動局装置は、上りリンク制御情報を、プレコーディングが施されるコードワードにマッピングすることができる。すなわち、移動局装置は、プレコーディングが施されるコードワードを選択し、選択したコードワードに上りリンク制御情報をマッピングすることができる。
【０１００】
例えば、移動局装置は、コードワード１に対してプレコーディングが施される場合には、上りリンク制御情報を、コードワード１にマッピングする。すなわち、移動局装置は、コードワード１にマッピングされるＵＬ−ＳＣＨ１と上りリンク制御情報を多重する。また、例えば、移動局装置は、コードワード２に対してプレコーディングが施される場合には、上りリンク制御情報を、コードワード２にマッピングする。すなわち、移動局装置は、コードワード２にマッピングされるＵＬ−ＳＣＨ２と上りリンク制御情報を多重する。
【０１０１】
ここで、移動局装置が、ＵＬ−ＳＣＨと上りリンク制御情報を多重して、ＳＣ−ＦＤＭＡシンボルにマッピングする方法は、例えば、上述したようなマッピング方法を使用することができる。移動局装置は、ＵＬ−ＳＣＨと上りリンク制御情報をＳＣ−ＦＤＭＡシンボルにマッピングし、基地局装置によってスケジュールされたＰＵＳＣＨにマッピングして（ＰＵＳＣＨを使用して）、基地局装置へ送信する。
【０１０２】
基地局装置は、移動局装置が選択したコードワードにマッピングされた上りリンク制御情報を受信し、受信した上りリンク制御情報に基づいて、移動局装置に対して、スケジューリングを行う。すなわち、基地局装置は、移動局装置によって選択したコードワードにマッピングされたＵＬ−ＳＣＨと上りリンク制御情報から、上りリンク制御情報を抽出し、抽出した上りリンク制御情報に基づいて、移動局装置に対して、スケジューリングを行う。
【０１０３】
図６は、移動局装置によるコードワード選択の例を概念的に示す別の図である。ここで、図６は、移動局装置が、図５におけるコードワード１を選択し、選択したコードワード１に上りリンク制御情報をマッピングする際の例を示している。図６において、移動局装置は、それぞれのコードワード（コードワード１、コードワード２）をレイヤにマッピングする（Ｓ／Ｐ（Serial/Parallel conversion）、Layer mapping）。図６では、例として、移動局装置が、ランク３で基地局装置と通信していることを示している。すなわち、移動局装置は、２つのコードワード（コードワード１、コードワード２）を、３つのレイヤ（レイヤ１、レイヤ２、レイヤ３）にマッピング（シリアル・パラレル変換）する。
【０１０４】
ここで、図６の点線で示されるように、移動局装置が、ランク３で基地局装置と通信する場合、コードワード１が、レイヤ１にマッピングされる。また、移動局装置が、ランク３で基地局装置と通信する場合、コードワード２が、レイヤ２とレイヤ３にマッピングされる。すなわち、コードワード１（コードワード１にマッピングされた情報）は、そのまま（ダイレクトに）レイヤ１にマッピングされる。
【０１０５】
さらに、移動局装置は、それぞれのレイヤに対して、プレコーディングの処理を施す。具体的には、移動局装置は、それぞれのレイヤに対して、例えば、図６に示されるようなプレコーディング行列（Precoding matrix）を施すことができる。図６では、移動局装置が、３つのレイヤ（３つのレイヤにマッピングされた情報）を、４アンテナを使用して、基地局装置へ送信する際のプレコーディング行列（４×３のプレコーディング行列）の例を示している。すなわち、移動局装置は、それぞれのレイヤに対して、それぞれのレイヤがマッピングされるアンテナ毎に、異なる（異なっても良い）振幅および／または位相を施すことができる。
【０１０６】
上述したように、例えば、基地局装置は、ＤＣＩフォーマット０Ａを使用して、複数の信号系列（レイヤ、ストリーム）に対して施すプレコーディングを指示する情報（Precoding information）を移送局装置へ通知できる。ここで、基地局装置は、プレコーディングを指示する情報としてインデックスを移動局装置へ通知し、移動局装置は、インデックスによって指示されたプレコーディング行列をそれぞれのレイヤに施しても良い。ここで、基地局装置によって通知されるインデックスと、移動局装置がそれぞれのレイヤに施すプレコーディング行列の対応は、予め仕様等によって定義される。
【０１０７】
移動局装置は、それぞれのレイヤ（レイヤ１、レイヤ２、レイヤ３）に対して、図６に示されるようなプレコーディング行列を施し、複数のアンテナ（ここでは、４アンテナ）を使用して、基地局装置へ送信する。
【０１０８】
ここで、移動局装置が、それぞれのレイヤに対して、図６に示されるようなプレコーディング行列を施した場合には、レイヤ１に対してのみプレコーディングが施されることになる。すなわち、レイヤ１（レイヤ１にマッピングされた情報）が、２つのアンテナにマッピングされることになる。すなわち、１つのレイヤ（レイヤ１）が、２つのアンテナにマッピングされることになる。
【０１０９】
一方、移動局装置が、それぞれのレイヤに対して、図６に示されるようなプレコーディング行列を施した場合には、レイヤ２、レイヤ３に対しては、プレコーディングが施されない。すなわち、レイヤ２、レイヤ３にプレコーディング行列を施したとしても、レイヤ２、レイヤ３（レイヤ２、レイヤ３にマッピングされた情報）がそのまま（ダイレクトに）出力される。
【０１１０】
ここで、上述したように、レイヤ１には、コードワード１がマッピングされている。また、レイヤ２、レイヤ３には、コードワード２がマッピングされている。すなわち、移動局装置が、それぞれのレイヤに対して、図６に示されるようなプレコーディング行列を施した場合には、コードワード１がマッピングされたレイヤ１に対して、プレコーディングが施される。一方、移動局装置が、それぞれのレイヤに対して、図６に示されるようなプレコーディング行列を施した場合には、コードワード２がマッピングされたレイヤ２、レイヤ３に対しては、プレコーディングが施されない。
【０１１１】
すなわち、移動局装置が、それぞれのレイヤに対して、図６に示されるようなプレコーディング行列を施した場合には、コードワード１に対してプレコーディングが施されることなる。上述したように、移動局装置は、プレコーディングが施されるコードワードを選択し、選択したコードワードに上りリンク制御情報をマッピングする。すなわち、移動局装置は、それぞれのレイヤに対して、図６に示されるようなプレコーディング行列を施す場合には、コードワード１に上りリンク制御情報をマッピングする。
【０１１２】
また、移動局装置は、基地局装置によってスケジュールされたＰＵＳＣＨを使用して、上りリンク制御情報を基地局装置へ送信する。すなわち、移動局装置は、図５におけるＵＬ−ＳＣＨ１と上りリンク制御情報を多重して、基地局装置によってスケジュールされたＰＵＳＣＨにマッピングして（ＰＵＳＣＨを使用して）、基地局装置へ送信する。
【０１１３】
同様に、図７は、移動局装置によるコードワード選択の例を概念的に示す別の図である。ここで、図７は、移動局装置が、図５におけるコードワード２を選択し、選択したコードワード２に上りリンク制御情報をマッピングする際の例を示している。図７において、移動局装置は、それぞれのコードワード（コードワード１、コードワード２）をレイヤにマッピングする。図７では、例として、移動局装置が、ランク３で基地局装置と通信していることを示している。すなわち、移動局装置は、２つのコードワード（コードワード１、コードワード２）を、３つのレイヤ（レイヤ１、レイヤ２、レイヤ３）にマッピング（シリアル・パラレル変換）する。
【０１１４】
図７において、移動局装置は、それぞれのレイヤに対して、プレコーディングの処理を施す。図７では、移動局装置が、３つのレイヤ（３つのレイヤにマッピングされた情報）を、４アンテナを使用して、基地局装置へ送信する際のプレコーディング行列（４×３のプレコーディング行列）の例（例１、例２）を示している。
【０１１５】
図７において、移動局装置は、それぞれのレイヤ（レイヤ１、レイヤ２、レイヤ３）に対して、図７の例１に示されるようなプレコーディング行列を施し、複数のアンテナ（ここでは、４アンテナ）を使用して、基地局装置へ送信する。
【０１１６】
ここで、移動局装置が、それぞれのレイヤに対して、図７の例１に示されるようなプレコーディング行列を施した場合には、レイヤ２に対してのみプレコーディングが施されることになる。すなわち、レイヤ２（レイヤ２にマッピングされた情報）が、２つのアンテナにマッピングされることになる。すなわち、１つのレイヤ（レイヤ２）が、２つのアンテナにマッピングされることになる。
【０１１７】
一方、移動局装置が、それぞれのレイヤに対して、図７の例１に示されるようなプレコーディング行列を施した場合には、レイヤ１、レイヤ３に対しては、プレコーディングが施されない。すなわち、レイヤ１、レイヤ３にプレコーディング行列を施したとしても、レイヤ１、レイヤ３（レイヤ１、レイヤ３にマッピングされた情報）がそのまま（ダイレクトに）出力される。
【０１１８】
ここで、上述したように、レイヤ１には、コードワード１がマッピングされている。また、レイヤ２、レイヤ３には、コードワード２がマッピングされている。すなわち、移動局装置が、それぞれのレイヤに対して、図７の例１に示されるようなプレコーディング行列を施した場合には、コードワード２がマッピングされたレイヤ２に対して、プレコーディングが施される。一方、移動局装置が、それぞれのレイヤに対して、図７の例１に示されるようなプレコーディング行列を施した場合には、コードワード１がマッピングされたレイヤ１に対しては、プレコーディングが施されない。
【０１１９】
すなわち、移動局装置が、それぞれのレイヤに対して、図７の例１に示されるようなプレコーディング行列を施した場合には、コードワード２に対してプレコーディングが施されることになる。
【０１２０】
同様に、図７において、移動局装置は、それぞれのレイヤ（レイヤ１、レイヤ２、レイヤ３）に対して、図７の例２に示されるようなプレコーディング行列を施し、複数のアンテナ（ここでは、４アンテナ）を使用して、基地局装置へ送信する。
【０１２１】
ここで、移動局装置が、それぞれのレイヤに対して、図７の例２に示されるようなプレコーディング行列を施した場合には、レイヤ２、レイヤ３に対して、プレコーディングが施されることになる。すなわち、レイヤ２、レイヤ３（レイヤ２、レイヤ３それぞれにマッピングされた情報）が、３つのアンテナにマッピングされることになる。すなわち、２つのレイヤ（レイヤ２、レイヤ３）が、３つのアンテナにマッピングされることになる。
【０１２２】
一方、移動局装置が、それぞれのレイヤに対して、図７の例２に示されるようなプレコーディング行列を施した場合には、レイヤ１に対しては、プレコーディングが施されない。すなわち、レイヤ１にプレコーディング行列を施したとしても、レイヤ１（レイヤ１にマッピングされた情報）がそのまま（ダイレクトに）出力される。
【０１２３】
ここで、上述したように、レイヤ１には、コードワード１がマッピングされている。また、レイヤ２、レイヤ３には、コードワード２がマッピングされている。すなわち、移動局装置が、それぞれのレイヤに対して、図７の例２に示されるようなプレコーディング行列を施した場合には、コードワード２がマッピングされたレイヤ２、レイヤ３に対して、プレコーディングが施される。一方、移動局装置が、それぞれのレイヤに対して、図７の例２に示されるようなプレコーディング行列を施した場合には、コードワード１がマッピングされたレイヤ１に対しては、プレコーディングが施されない。
【０１２４】
すなわち、移動局装置が、それぞれのレイヤに対して、図７の例２に示されるようなプレコーディング行列を施した場合には、コードワード２に対してプレコーディングが施されることになる。上述したように、移動局装置は、プレコーディングが施されるコードワードを選択し、選択したコードワードに上りリンク制御情報をマッピングする。すなわち、移動局装置は、それぞれのレイヤに対して、図７の例１、例２に示されるようなプレコーディング行列を施す場合には、コードワード２に上りリンク制御情報をマッピングする。
【０１２５】
また、移動局装置は、基地局装置によってスケジュールされたＰＵＳＣＨを使用して、上りリンク制御情報を基地局装置へ送信する。すなわち、移動局装置は、図５におけるＵＬ−ＳＣＨ２と上りリンク制御情報を多重して、基地局装置によってスケジュールされたＰＵＳＣＨにマッピングして（ＰＵＳＣＨを使用して）、基地局装置へ送信する。
【０１２６】
ここで、図６、図７で示したプレコーディング行列は一例であり、上記までの説明は、図６、図７で示したプレコーディング行列以外のプレコーディング行列に対しても適用できることは勿論である。
【０１２７】
上記までに示したように、移動局装置が、複数のコードワードの中からプレコーディングを施すコードワードを選択し、選択したコードワードに上りリンク制御情報をマッピングして、基地局装置へ送信することによって、基地局装置によるスケジューリングに制限をもたらせずに、移動局装置によって、より柔軟に、上りリンク制御情報をマッピングするコードワードを選択することができる。すなわち、基地局装置は、複数のコードワードにそれぞれに施すＭＣＳ情報（変調および／または符号化）として、同一のＭＣＳ情報を移動局装置へ通知することができる。
【０１２８】
また、移動局装置が、プレコーディングを施すコードワードに上りリンク制御情報をマッピングして、基地局装置へ送信することによって、上りリンク制御情報を、より高精度に、信頼性を高くして、基地局装置へ送信することができる。
【０１２９】
基地局装置は、移動局装置に対して、どのコードワードに上りリンク制御情報をマッピングするのかを、明示的に（explicitに）、直接的に（directに）通知する必要がなく、下りリンクの無線リソースを効率的に使用することができる。
【０１３０】
また、移動局装置によって、上りリンク制御情報が、いずれかのコードワードにマッピングされて基地局装置へ送信されるために、基地局装置による上りリンク制御情報の抽出を容易にすることができる。
【０１３１】
以上説明した実施形態は、基地局装置および移動局装置に搭載される集積回路／チップセットにも適用される。また、以上説明した実施形態において、基地局装置内の各機能や、移動局装置内の各機能を実現するためのプログラムをコンピュータ読み取り可能な記録媒体に記録して、この記録媒体に記録されたプログラムをコンピュータシステムに読み込ませ、実行することにより基地局装置や移動局装置の制御を行なっても良い。なお、ここでいう「コンピュータシステム」とは、ＯＳや周辺機器等のハードウェアを含むものとする。
【０１３２】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。更に「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含むものとする。また上記プログラムは、前述した機能の一部を実現するためのものであっても良く、更に前述した機能をコンピュータシステムに既に記録されているプログラムとの組み合わせで実現できるものであっても良い。
【０１３３】
以上、この発明の実施形態について図面を参照して詳述してきたが、具体的な構成はこの実施形態に限られるものではなく、この発明の要旨を逸脱しない範囲の設計等も特許請求の範囲に含まれる。
【符号の説明】
【０１３４】
１００  基地局装置
１０１  データ制御部
１０２  送信データ変調部
１０３  無線部
１０４  スケジューリング部
１０５  チャネル推定部
１０６  受信データ復調部
１０７  データ抽出部
１０８  上位層
１０９  アンテナ
１１０  無線リソース制御部
２００  移動局装置
２０１  データ制御部
２０２  送信データ変調部
２０３  無線部
２０４  スケジューリング部
２０５  チャネル推定部
２０６  受信データ復調部
２０７  データ抽出部
２０８  上位層
２０９  アンテナ
２１０  無線リソース制御部
【図１】
2011259335.tif 000003
【図２】
2011259335.tif 000004
【図３】
2011259335.tif 000005
【図４】
2011259335.tif 000006
【図５】
2011259335.tif 000007
【図６】
2011259335.tif 000008
【図７】
2011259335.tif 000009